(57)【要約】【課題】電子装置に関し、装置の小型化を可能にすることを目的とする。【解決手段】ケース１内の光源２からの照射光が透過する発光部３をケース１外表面の一部に形成した電子装置であって、  透光性を有する材料により形成され、光導入部４から導入した光源２からの照射光を外部に透過可能な透光性ケース外殻構成部５を有し、  前記透光性ケース外殻構成部５の一部を遮光マスキング部６により遮光し、残余の部分を発光部３とする。【選択図】  図２
2008185604.tif 000002
【特許請求の範囲】
【請求項１】
ケース内の光源からの照射光が透過する発光部をケース外表面の一部に形成した電子装置であって、
透光性を有する材料により形成され、光導入部から導入した光源からの照射光を外部に透過可能な透光性ケース外殻構成部を有し、
前記透光性ケース外殻構成部の一部を遮光マスキング部により遮光し、残余の部分を発光部とした電子装置。
【請求項２】
前記ケースは、上下ケース半体を連結して形成されるとともに、
いずれか一方のケース半体全体が透光性ケース外殻構成部として使用される請求項１記載の電子装置。
【請求項３】
前記遮光マスキング部は、透光性ケース外殻構成部の成型時に２色成型される請求項１または２記載の電子装置。
【請求項４】
前記光源は、光軸がケース外表面に対してほぼ平行となる姿勢で保持されるとともに、
透光性ケース外殻構成部の裏面には、光源に正対する光導入部を備え、光源から遠ざかるにつれて漸次外表面に近接する斜面を底壁とする導光膨隆部が形成される請求項１、２または３記載の電子装置。
【請求項５】
前記透光性ケース外殻構成部の底壁には、光導入部から導入した導入光を発光部側に乱反射させる反射面が形成される請求項４記載の電子装置。
【請求項６】
ケース外表面の一部に発光部を配置した電子装置であって、
前記ケースの発光部形成部は、ケース内の光源からの照射光を透過して発光部となる透光性合成樹脂材部分と、残余の不透明合成樹脂材部分とを２色成型して形成される電子装置。
【発明の詳細な説明】
【技術分野】
【０００１】
本発明は電子装置に関するものである。
【背景技術】
【０００２】
ケース外殻に発光部を配置した電子装置としては、特許文献１に記載されたものが知られている。この従来例において、ケース外殻を構成するフィルムキーは透光性を有する材料により形成される。フィルムキーの裏面には反射層が形成されており、ケース内に配置される光源からの照射光は、反射層に開設した導光孔からフィルムキー内の侵入し、ケース外部に放射される。
【特許文献１】特開２００６-２１６３６４号公報
【発明の開示】
【発明が解決しようとする課題】
【０００３】
しかし、上述した従来例において、外殻構成部材であるフィルムキーは導光孔により選別された光軸方向の照射光を透過するだけの機能を有し、導光、光散乱による光量低下を防止する機能を有しない。このため、ケース内には別途光源からの照射光を乱反射させて導光孔に導くために、上記反射層とベースフィルムとにより形成される導光領域を設定する必要が生じ、装置が大型化するという問題がある。
【０００４】
本発明は、以上の欠点を解消すべくなされたものであって、装置の小型化が可能な電子装置の提供を目的とする。
【課題を解決するための手段】
【０００５】
本発明において、電子装置のケース外殻を構成する外殻構成部材の一部、または全部は、透光性を有する材料により形成され、ケース１内に収容された光源２からの照射光は、この透光性ケース外殻構成部５内に導入される。
【０００６】
透光性ケース外殻構成部５は、導入した光をケース１外部に放射できる位置に配置され、その一部が遮光マスキング部６により遮光される。透光性ケース外殻構成部５の遮光マスキング部６により覆われなかった部分を発光部３とする本発明において、発光部３ごとではなく、透光性ケース外殻構成部５単位で光源２を用意すればよい。この結果、光源２の数を減少させることができ、装置の小型化が可能になる。
【発明の効果】
【０００７】
本発明によれば、装置を小型化することができる。
【発明を実施するための最良の形態】
【０００８】
図１に携帯電話として構成された本発明の実施の形態を示す。携帯電話は、可動側ケース１Ａと固定側ケース１Ｂとをヒンジ１ａ周りに回転自在に連結して形成され、可動側ケース１Ａのキートップ１ｂ対向面にはディスプレイ面１ｃが形成される。可動側ケース１Ａのディスプレイ面１ｃに対向する面には、携帯電話の模様を形成するための発光部３が配置される。
【０００９】
図２に示すように、双方のケース１Ａ、１Ｂは、上下ケース半体７、８を積層、固定して形成され、固定側ケース１Ｂ内には、公衆回線網との通信用回路１ｄが収容される。また、可動側ケース１Ａ内に配置される実装基板１３には、液晶表示パネル１４が実装され、この液晶表示パネル１４を下ケース半体８から露出させてディスプレイ面１ｃが構成される。
【００１０】
上記固定側ケース１Ｂの上下ケース半体７、８、および可動側ケース１Ａの下ケース半体８が不透明材料により形成されるのに対し、可動側ケース１Ａの上ケース半体７は透明、あるいは半透明な合成樹脂材により形成され、この上ケース半体７の外表面の一部に遮光マスキング部６が形成される。遮光マスキング部６は、上ケース半体７の一部を遮光して残部を透光性を有する発光部３とするために設けられ、上ケース半体７表面に塗装をし、または不透明シートを貼着することにより形成される。また、遮光マスキング部６は、図３に示すように、下ケース半体８を射出成型する際に、不透明合成樹脂材により形成された遮光マスキング部６を２色成型して形成することもできる。
【００１１】
前記発光部３からの照射光を供給するために、可動側ケース１Ａ内部にはＬＥＤ２（光源２）が収容されるとともに、上ケース半体７には、ＬＥＤ２からの照射光を上ケース半体７内に導入するための光導入部４が形成される。ＬＥＤ２は、液晶表示パネル１４を支持する実装基板１３上で、可動側ケース１Ａ外部から直接見えないように、遮光マスキング部６により覆われる領域に配置される。
【００１２】
上ケース半体７の下方スペースを有効に利用して装置の小型化を図るために、ＬＥＤ２は、光軸が上ケース半体７外表面に対してほぼ平行となる姿勢で保持されるとともに、光導入部４は上ケース半体７下面に形成される。光導入部４は、上ケース半体７の上面に対する直交面として形成され、ＬＥＤ２に正対する。
【００１３】
また、光導入部４は、上ケース半体７の底壁に膨隆され、ヒンジ１ａ側辺縁が高く、反対縁に行く従って漸次高さが低くなる直角三角形状の断面形状を有する導光膨隆部９の前端面として形成され、ＬＥＤ２を点灯すると、ＬＥＤ２からの照射光は、光導入部４から上ケース半体７内に導入され、外部への透光開口である発光部３から照射される。
【００１４】
なお、以上においては、可動側ケース１Ａの上ケース半体７全体を、可動側ケース１Ａの外殻を構成し、かつ、ＬＥＤ２からの照射光の導光体としても機能する透光性ケース外殻構成部５とする場合を示したが、上ケース半体７の一部を透光性ケース外殻構成部５により形成することもでき、さらに、下ケース半体８の一部に透光性ケース外殻構成部５を配置して発光部３を形成することもできる。
【００１５】
図４に本発明の第２の実施の形態を示す。なお、以下の実施の形態の説明において、上述した実施の形態と実質的に同一の構成要素は図中に同一符号を付して説明を省略する。
【００１６】
この実施の形態において、上記上ケース半体７の導光膨隆部９の底壁面には、適数の反射面１０が形成される。反射面１０は、導光膨隆部９の底壁にシボ加工、あるいは印刷等を施し、さらには、反射シートを貼り付けて形成され、発光部３の概ね直下位置に配置される。ＬＥＤ２の発光により上ケース半体７内に導かれた導入光は、反射面１０において乱反射して発光部３から照射される。
【００１７】
なお、反射面１０は導光膨隆部９の底壁面の全面にわたって形成することも可能であり、さらに、ＬＥＤ２からの照射光の光軸を直角方向に折り曲げる鏡面として形成することもできる。反射面１０を鏡面として形成する場合には、反射光が発光部３側を向く角度に反射面１０が形成され、望ましくは、ＬＥＤ２の光軸を上ケース半体７表面に平行とするとともに、反射面１０を発光部３の直下に配置して４５°に傾けて形成される。
【００１８】
図５に本発明の第３の実施の形態を示す。この実施の形態において、可動側ケース１Ａの上ケース半体７は、発光部３に対応する透光性合成樹脂部分１１と、残余の不透明合成樹脂材部分１２とを２色成型して形成される。また、可動側ケース１Ａ内には、反射部材１５が配置され、上面に乱反射面１５ａが形成される。
【００１９】
ＬＥＤ２からの照射光は、乱反射面１５ａにおいて乱反射して上ケース半体７側に向かい、透光性樹脂材部分からのみ透過する。
【図面の簡単な説明】
【００２０】
【図１】本発明を示す図で、（ａ）は携帯電話の斜視図、（ｂ）は折畳状態を示す斜視図である。
【図２】本発明の要部を示す図で、（ａ）は平面図、（ｂ）は（ａ）の２Ｂ-２Ｂ線断面図である。
【図３】図２の変形例を示す図である。
【図４】本発明の第２の実施の形態を示す図である。
【図５】本発明の第３の実施の形態を示す図である。
【符号の説明】
【００２１】
１        ケース
２        光源
３        発光部
４        光導入部
５        透光性ケース外殻構成部
６        遮光マスキング部
７、８    上下ケース半体
９        導光膨隆部
１０      反射面
１１      透光性合成樹脂材部分
１２      不透明合成樹脂材部分
【図１】
2008185604.tif 000003
【図２】
2008185604.tif 000004
【図３】
2008185604.tif 000005
【図４】
2008185604.tif 000006
【図５】
2008185604.tif 000007